(57)【要約】      （修正有）【課題】発光モジュールの気密性を強化し、エア漏れ、水入り等の問題を防止できる灯具のバルブの取付構造及びバルブの取付構造を使用する灯具を提供する。【解決手段】バルブ取付構造はバルブ、接点構造１、ソケット５及びソケットカバー７を含み、バルブの通電端が接点構造１にてソケット５と接続、ソケット５がソケットカバー７内に設置され、ソケット５とソケットカバー７との間に第１シールリング６が設置され、第１シールリング６の上端面に第１リングステップ６１が設置され、下端面に第２リングステップ６２が設置され、ソケット５の底部に上向けて凹む第１リング溝、ソケットカバー７の底部に下向けて凹む第２リング溝が設置され、第１リングステップ６１が第１リング溝に、第２リングステップ６２は第２リング溝に嵌め込まれる。本取付構造により、発光モジュールの気密性を向上し、エア漏れ、水入り等の問題を回避できる。【選択図】図１
0003234996.tif 000002
【実用新案登録請求の範囲】
【請求項１】
灯具のバルブ取付構造であって、
バルブ、接点構造（１）、ソケット（５）及びソケットカバー（７）を含み、前記バル
ブの通電端が前記接点構造（１）にてソケット（５）に接続され、前記ソケット（５）が
前記ソケットカバー（７）の中に設置され、
前記ソケット（５）と前記ソケットカバー（７）との間に第１シールリング（６）が設
置され、前記第１シールリング（６）の上端面に第１リングステップ（６１）が設置され
、前記第１シールリング（６）の下端面に第２リングステップ（６２）が設置され、
前記ソケット（５）の底部に上向けて凹む第１リング溝が設置され、前記ソケットカバ
ー（７）の底部下向けて凹む第２リング溝が設置され、前記第１リングステップ（６１）
が前記第１リング溝に嵌め込まれ、前記第２リングステップ（６２）が前記第２リング溝
に嵌め込まれることを特徴とする灯具のバルブ取付構造。
【考案の詳細な説明】
【技術分野】
【０００１】
本考案は、灯具（ランプ）に係り、具体的に言えば、灯具及びそのバルブ取付構造に関
する。
【背景技術】
【０００２】
［先行技術の説明］
灯具は、夜間走行時道路を照明する部品であり、各種類の走行シグナルを表示する。
通常、灯具はその車両（自動車等）のフロント、リアに固定される。灯具は普通ハウジ
ング、ＢＲＫＴ（Ｂｒａｃｋｅｔ：ブラケット）及び発光モジュールから成り、発光モジ
ュールはＢＲＫＴに、ＢＲＫＴがハウジングに固定される。尚、ＢＲＫＴとは、機械部品
同士を結合するための支持具・取付け金具のことで、部品を固定するために使われ、通常
ネジ止めして固定するものである。
【０００３】
既存の灯具の発光モジュールには、灯具モジュールは主にバルブ、接点構造、ソケット
及びソケットカバーを含み、バルブの通電端が接点構造に接触し、接点構造の底部が一つ
のバネでソケットに接続し、ソケットがソケットカバーの中に設置される。
該当構造には、ソケットカバーの外壁に密封構造を設定し、ソケットとソケットカバー
が外し可能の取付なので、該当取付構造がソケットとソケットカバーの間の気密性能を保
証できなく、エア漏れ、水入りの心配があり、灯具の寿命に影響を及ぼすものである。
【０００４】
［関連技術］
尚、関連する先行技術としては、中国実用新案登録第２０２３４９９３１号（ＣＮ  ２
０２３４９９３１  Ｕ）公報「オートバイク信号灯のバルブソケット」（特許文献１）が
ある。
特許文献１には、灯具のバルブソケットが記載されている。
【先行技術文献】
【特許文献】
【０００５】
【特許文献１】中国実用新案登録第２０２３４９９３１号公報
【考案の概要】
【考案が解決しようとする課題】
【０００６】
しかしながら、従来の灯具のバルブ取付構造では、発光モジュールの気密性を強化し、
エア漏れ、水入り等の問題を防止する更なる検討が必要であった。
【０００７】
本考案は上記実状に鑑みて為されたもので、発光モジュールの気密性を強化し、エア漏
れ、水入り等の問題を防止できる灯具のバルブ取付構造を提供することを第１の目的とす
る。
更に、灯具の発光モジュールが上記バルブ取付構造を使用する灯具を提供することを第
２の目的とする。
【課題を解決するための手段】
【０００８】
上記従来例の問題点を解決するための本考案は、灯具のバルブ取付構造であって、バル
ブ、接点構造、ソケット及びソケットカバーを含み、バルブの通電端が接点構造にてソケ
ットに接続され、ソケットがソケットカバー内に設置され、ソケットとソケットカバーと
の間に第１シールリングが設置され、第１シールリングの上端面に第１リングステップが
設置され、第１シールリングの下端面に第２リングステップが設置され、ソケットの底部
に上向けて凹む第１リング溝が設置され、ソケットカバーの底部下向けて凹む第２リング
溝が設置され、第１リングステップが第１リング溝に嵌め込まれ、第２リングステップが
第２リング溝に嵌め込まれることを特徴とする。
【０００９】
本考案は、上記灯具のバルブ取付構造において、好ましくは、第１シールリングが、ゴ
ム材質であることを特徴とする。
【００１０】
本考案は、上記灯具のバルブ取付構造において、好ましくは、第１リングステップ及び
第２リングステップは、第１シールリングと一体成形されることを特徴とする。
【００１１】
本考案は、上記灯具のバルブ取付構造において、好ましくは、灯具のバルブ取付構造に
は、バネ、第１インシュレータ及び第２インシュレータを含み、バネは接点構造とソケッ
トとの間に設置され、第１インシュレータは接点構造とバネとの間に設置され、第２イン
シュレータがバネとソケットの底部との間に設置されることを特徴とする。
【００１２】
本考案は、上記灯具のバルブ取付構造において、好ましくは、灯具のバルブ取付構造に
は、バネワッシャーを含み、バネワッシャーがバネと第２インシュレータとの間に設置さ
れることを特徴とする。
【００１３】
本考案は、上記灯具のバルブ取付構造において、好ましくは、灯具のバルブ取付構造に
は、第２シールリングを含み、第２シールリングがソケットカバーの外壁に嵌め込められ
ることを特徴とする。
【００１４】
本考案は、灯具において、上記灯具のバルブ取付構造を含むことを特徴とする。
【考案の効果】
【００１５】
本考案によれば、既存技術に比べて、該当構造はソケットとソケットカバーとの間に設
置される第１シールリングによって発光モジュールの気密性を強化し、エア漏れ、水入り
等の問題を防止できる効果がある。
【図面の簡単な説明】
【００１６】
【図１】本実用新案の実施例のバルブの縦断面図である。
【考案を実施するための形態】
【００１７】
本考案の実施の形態について図面を参照しながら説明する。
［実施の形態の概要］
本考案の実施の形態に係る灯具のバルブ取付構造は、バルブ、接点構造、ソケット及び
ソケットカバーを含み、バルブの通電端が接点構造にてソケットと接続、ソケットがソケ
ットカバー内に設置され、ソケットとソケットカバーとの間に第１シールリングが設置さ
れ、第１シールリングの上端面に第１リングステップが設置され、下端面に第２リングス
テップが設置され、ソケットの底部に上向けて凹む第１リング溝、ソケットカバーの底部
下向けて凹む第２リング溝が設置され、第１リングステップが第１リング溝に、第２リン
グステップは第２リング溝に嵌め込まれるものであり、これもより、発光モジュールの気
密性を強化し、エア漏れ、水入り等の問題を防止できるものである。
【００１８】
以下の詳細な説明は例示的なものであり、本願を更に説明する目的で、本明細書で使用
する全ての技術及び科学用語は、本願に所属する技術領域の一般な技術人員が通常に理解
する意味を有する。
【００１９】
留意すべきは、ここで使用する用語は具体的な実施形態を説明するものだけであり、本
願による例示的な実施形態を限定することを意図しない。ここで使用されたものは、前後
文で特に指示される場合以外、単数形式は複数形式も意図する。また、本明細書で用語「
包含」及び／又は「包括」が使用される時、特徴、手順、操作、部品、コンポーネント及
び／又はそれらの組合せが存在することを指示する。
【００２０】
本実用新案の説明に理解すべきことは、 「中心」、「縦向」、「横」、「長さ」、「
幅」、「厚み」、「上」、「下」、「前」、「後」、「左」、「右」、「垂直」、「水平
」、「頂」、「底」、「内」、「時計回り方向」、「逆時計回り方向」等の方向又は位置
関係を指示する用語は、イメージ１（図１）に基づき、本実用新案を便利に説明するだけ
で、該当装置又はユニットの特定な方向及び特定な方向の構造と操作を開示も示唆もして
いない。本実用新案に対する限定と理解してはならない。
【００２１】
また、用語「第１」、「第２」は目的の説明で使用し、相対的な重要性及び該当の技術
特徴の数量について開示も示唆もしていない。従って、「第１」、「第２」と限定される
特徴は一つ若しくは一つ以上の該当特徴の含有を開示も示唆もある。本実用新案の説明に
は、特に説明する場合以外、「複数」の意味は二つ若しくは二つ以上である。
【００２２】
本実用新案には、明確に規定又は限定される場合以外、「取付」、「繋がる」、「接続
」、「固定」等の用語は広義に理解されるものである。例えば、固定接続でもよく、取り
外し可能な接続でもよく、又は一体の接続でもよく、機械接続でもよく、電気接続でもよ
く、直接繋がりでもよく、間接繋がりでもよく、ニ部品内部での繋りでもよい。本領域の
普通な技術人員に対して、具体状況によって上記用語が本実用新案での具体的な意味を理
解できる。
【００２３】
本実用新案には、明確に規定又は限定される場合以外、第１の特徴は第２の特徴の「上
」又は「下」に、第１と第２の特徴の直接接触を含むことが可能であり、第１と第２の特
徴が直接接触ではなくそれらの間の他の特徴にて接触することも含むことが可能である。
また、第１の特徴が第２の特徴の「上」、「上部」及び「上面」は、第１の特徴が第２の
特徴の真上と斜め上を意味し、又は第１の特徴の水平高さは第２の特徴より高いことを示
している。第１の特徴が第２の特徴の「下」、「下部」及び「下面」は、第１の特徴が第
２の特徴の真下と斜め下を意味し、又は第１の特徴の水平の高さは第２の特徴より低いこ
とを示している。
【００２４】
本実施の形態は、灯具のバルブ取付構造であって、バルブ、接点構造１、ソケット５及
びソケットカバー７を含み、バルブの通電端が接点構造１にてソケット５に接続され、ソ
ケット５がソケットカバー７の中に設置される。
【００２５】
その状態で、ソケット５とソケットカバー７の間に一つの第１シールリング６が設置さ
れ、第１シールリング６の上端面に第１リングステップ６１が設置され、第１シールリン
グ６の下端面に第２リングステップ６２が設置される。
【００２６】
ソケット５の底部に上向けて凹む第１リング溝が設置され、ソケットカバー７の底部に
下向けて凹む第２リング溝が設置され、第１リングステップ６１が第１リング溝に嵌め込
まれ、第２リングステップ６２が第２リング溝に嵌め込まれる。
【００２７】
好ましくは、第１リングステップ６１及び第２リングステップ６２の縦断面半円形は、
第１リング溝及び第２リング溝の縦断面形状が、それぞれ第１リングステップ６１及び第
２リングステップ６２に合う。
【００２８】
また、第１リングステップ６１及び第２リングステップ６２の縦断面面積は、それぞれ
第１リング溝及び第２リング溝の縦断面面積より大きいのため、ソケット５とソケットカ
バー７が嵌合する時、ソケット５とソケットカバー７との間の押し荷重によって第１リン
グステップ６１が第１リング溝に入り、第２リングステップ６２が第２リング溝に入る。
【００２９】
第１リングステップ６１と第１リング溝との間、第２リングステップ６２と第２リング
溝との間で過剰嵌合になる。
第１シールリング６とソケット５、ソケットカバー７の間の接触面が凸凹になり、第１
シールリング６の密封作用をさらに強化する。
【００３０】
その他の実施例には、第１リングステップ６１又は第２リングステップ６２の縦断面が
三角形、矩形等であってもよい。第２リングステップ６２の縦断面形状は、第１リングス
テップ６１の縦断面形状に一致しなくてもよい。
【００３１】
最良の実施形態として、第１シールリング６はゴム材質である。
最良の実施形態として、第１リングステップ６１及び第２リングステップ６２は第１シ
ールリング６と一体成形される。
【００３２】
最良の実施形態として、灯具のバルブ取付構造にはバネ３、第１インシュレータ２及び
第２インシュレータ９がある。尚、インシュレータ（Insulator）は、絶縁材である。
バネ３は接点構造１とソケット５との間に設置され、第１インシュレータ２は接点構造
１とバネ３との間に、第２インシュレータ９がバネ３とソケット５の底部との間に設置さ
れる。
【００３３】
最良の実施形態として、灯具のバルブ取付構造にはバネワッシャー４があり、バネワッ
シャー４がバネ３と第２インシュレータ９との間に設置される。
最良の実施形態として、灯具のバルブ取付構造には第２シールリング８があり、第２シ
ールリング８がソケットカバー７の外壁に嵌められる。
【００３４】
本実施例の別の形態では、灯具を提供し、該当灯具は上記いずれかのバルブ取付構造を
含む。
上記により、該当構造はソケット５とソケットカバー７との間に設置される第１シール
リング６によって発光モジュールの気密性を強化し、エア漏れ、水入り等の問題を防止で
きる。
【００３５】
また、説明すべきことは以下のとおりである。
本説明書の説明には、参考用語「一実施例」、「いくつかの実施例」、「示例」、「具
体示例」、又は「いくつかの示例」等の説明は該当実施例又は示例と合わせて具体的な特
徴、構造、材料又は特徴が本実用新案の少なくても一つの実施例又は示例に含有すること
を説明する。本明細書には、上記用語の表現が説明するのは同様な実施例又は示例に限ら
ない。また、説明した具体的な特徴、構造、材料若しくは特徴は任意の一つ又は複数の実
施例又は示例に適切な方法で結合してもよい。
【００３６】
上記には、本実用新案の実施例を開示、説明したが、理解すべきは、上記実施例が例示
的なもので、本実用新案に対する制限ではない。本技術の領域において普通な技術人員は
本実用新案の原理及び主旨を逸れない範囲内にて本実用新案の上記実施例についての変化
、修正、入替え及び変型、及び本実用新案の技術実質によって以上実施例に対する全ての
簡単な修正（変化と仕上げに同様）は、本実用新案の技術の範囲内である。
【００３７】
［実施の形態の効果］
本実施の形態によれば、上記の灯具のバルブ取付構造により、ソケット５とソケットカ
バー７との間に設置される第１シールリング６によって発光モジュールの気密性を強化し
、エア漏れ、水入り等の問題を防止できる効果がある。
【産業上の利用可能性】
【００３８】
本考案は、発光モジュールの気密性を向上し、エア漏れ、水入り等の問題を回避できる
灯具のバルブ取付構造及び灯具に適している。
【符号の説明】
【００３９】
１…接点構造、  ２…第1インシュレータ、  ３…バネ、  ４…バネワッシャー、  ５
…ソケット、  ６…第１シーリング、  ７…ソケットカバー、  ８…第２シーリング、  
９…第２インシュレータ、  ６１…第１リングステップ、  ６２…第２リングステップ
【図１】
0003234996.tif 000003